(57)【要約】【課題】光ファイバテープコードの外被層を簡便にまた正確な長さで除去できる光ファイバテープコード用ストリッパを提供することを課題とするものである。【解決手段】一端側が連結され他端側が開閉するよう組み付けられた対のフレーム２０間にカッタ機構３０が設けられたストリッパにおいて、カッタ機構３０では、フレーム２０の開閉方向に沿うよう配置された対のカッタ刃３１が、光ファイバの心線１１を並列させて被覆した光ファイバテープコード１０の外被層１４を切り込み可能な間隔で設けられ、カッタ刃３１による外被層１４の切り込み時に、切り込み位置３２の端末長Ｌ３を設定できるメジャー部４０が設けられることを特徴としている。【選択図】  図１
2004191676.tif 000002
【特許請求の範囲】
【請求項１】
一端側が連結され他端側が開閉するよう組み付けられた対のフレーム間にカッタ機構が設けられたストリッパにおいて、カッタ機構では、フレームの開閉方向に沿うように配置された対のカッタ刃が、光ファイバの心線を並列させて被覆した光ファイバテープコードの外被層を切り込み可能な間隔で設けられ、カッタ刃による外被層の切り込み時に、切り込み位置の端末長を設定できるメジャー部が設けられることを特徴とする光ファイバテープコード用ストリッパ。
【請求項２】
請求項１記載の光ファイバテープコード用ストリッパにおいて、メジャー部には、外被層の切り込み時に光ファイバテープコードの先端を当接させる当接部と、この当接部をフレームから突出させる支持部とが備えられ、カッタ機構のカッタ刃から当接部までの長さは、切り込み位置が所定の端末長となるよう形成されていることを特徴とする光ファイバテープコード用ストリッパ。
【請求項３】
請求項１または２記載の光ファイバテープコード用ストリッパにおいて、メジャー部はフレームに着脱自在に取り付けられることを特徴とする光ファイバテープコード用ストリッパ。
【請求項４】
請求項１または２記載の光ファイバテープコード用ストリッパにおいて、メジャー部はフレームから引き出されて使用されることを特徴とする光ファイバテープコード用ストリッパ。
【請求項５】
請求項３または４記載の光ファイバテープコード用ストリッパにおいて、メジャー部はフレームに位置決めされて取り付けられることを特徴とする光ファイバテープコード用ストリッパ。
【請求項６】
請求項３から５のいずれかに記載の光ファイバテープコード用ストリッパにおいて、メジャー部は、使用しない時にフレームに収納されることを特徴とする光ファイバテープコード用ストリッパ。
【請求項７】
請求項２から６のいずれかに記載の光ファイバテープコード用ストリッパにおいて、メジャー部の支持部には、目盛りが表示されていることを特徴とする光ファイバテープコード用ストリッパ。
【発明の詳細な説明】
【０００１】
【発明の属する技術分野】
本発明は、光ファイバの心線が並列されて被覆された光ファイバテープコードの外被層の除去に係る技術分野に属する。
【０００２】
【従来の技術】
一般に光ファイバテープコード１０は、図８に示すように、複数本の光ファイバの心線１１にそれぞれ心線被覆層１２を被覆して並列させ、その周囲に抗張力体１３として糸状のアラミド繊維を配置して、これら全体を外被層１４で被覆して形成されている。図８には、４本の心線１１を有する４心構造の光ファイバテープコード１０を例示しているが、光ファイバテープコードの構造は、４心だけでなく２心、８心、１２心のものなどがある。
【０００３】
そして、このような光ファイバテープコード１０の接続には、フェルールと呼ばれる接続構成部品が使用される。このフェルールには、所定のピッチで配置された挿入孔が設けられており、光ファイバテープコード１０から心線１１が露出されて上記挿入孔に挿入される（挿入孔は穴に限定されず、溝の場合もある）。そのため、光ファイバの接続時には、光ファイバテープコード１０から各種の被覆層を除去する工程が必要であった。この工程では、まずフェルールを用いた接続に必要な所定量の外被層１４がカッタを用いて切り取られる。次に、除去された外被層１４の断面から所定量離れた位置にハサミを入れて、抗張力体１３が切り取られる。そして、専用の装置に位置決めされて取り付けられ、心線被覆層１２が心線１１を傷つけないように加熱により取り除かれる。これにより所望の長さの心線１１を露出させることができる。なお、外被層１４の除去にカッタが用いられるのは、ニッパが除去に適さないからである。その理由は、ニッパのように軸に対して刃が回転運動する場合には、ニッパの刃の軸の近い側は深く切り込まれ、軸に遠い側は浅く切り込まれるので、心線１１の損傷や切り込み不足が生じるためである。
【０００４】
【発明が解決しようとする課題】
上述したように心線１１はフェルールを用いて接続するためにあらかじめ規定された長さ分を正確に露出させなければならない。しかしながら上述の除去の工程では、外被層１４が最初に除去され、その長さに応じて、順次各層が除去される。すなわち、最後に露出させる心線１１の長さが、最初に除去される外被層１４の除去長さの正確さに影響される。上述のような工程ではカッタの使用の前に、定規を用いて光ファイバテープコードの先端からの長さを測り、外被層１４に目印を付けて、その目印を頼りに切り込みが行われる。そのため、外被層１４を正確に除去することが困難であるだけでなく、工程が煩雑であった。
【０００５】
また、カッタの使用により作業者が手指を傷つけることも懸念されるだけでなく、作業者の技能によっても仕上がり具合にバラツキを生じやすかった。
【０００６】
このような課題を考慮して、本発明では、光ファイバテープコードの外被層を簡便にまた正確な長さで除去できる光ファイバテープコード用ストリッパを提供することを課題とするものである。
【０００７】
【発明を解決するための手段】
上記課題を解決するために、本発明の光ファイバテープコード用ストリッパは次のような手段を採用する。
【０００８】
すなわち、請求項１では、一端側が連結され他端側が開閉するよう組み付けられた対のフレーム間にカッタ機構が設けられたストリッパにおいて、カッタ機構では、フレームの開閉方向に沿うように配置された対のカッタ刃が、光ファイバの心線を並列させて被覆した光ファイバテープコードの外被層を切り込み可能な間隔で設けられ、カッタ刃による外被層の切り込み時に、切り込み位置の端末長を設定できるメジャー部が設けられることを特徴とする。
【０００９】
この手段では、フレームを開閉させることで、カッタ機構の対となったカッタ刃の間に光ファイバテープコードが差し挟まれ、光ファイバテープコードの外被層のみに切り込みが施される。そして、フレーム自体にメジャー部が設けられるとともに、切り込みの時点で端末長を設定できるため、あらかじめ外被層に目印をつけなくても、一連の動作として、光ファイバテープコードの端末からの長さを測りながら、外被層への切り込みを行うことができる。また、カッタ刃はフレームの開閉方向に沿った位置に設けられているため、カッタ刃が平行に外被層に切り込まれ、外被層以外の被覆層の損傷や、切り込み不足になることが防止される。
【００１０】
また、請求項２では、請求項１記載の光ファイバテープコード用ストリッパにおいて、メジャー部には、外被層の切り込み時に光ファイバテープコードの先端を当接させる当接部と、この当接部をフレームから突出させる支持部とが備えられ、カッタ機構のカッタ刃から当接部までの長さは、切り込み位置が所定の端末長となるよう形成されていることを特徴とする。
【００１１】
この手段では、光ファイバテープコードの先端からの長さを測らなくても、メジャー部の当接部に光ファイバテープコードの先端をあてがって、カッタ機構により切り込みを施すだけで、光ファイバテープコードに規定されている所定の端末長の位置に切り込み位置が形成される。
【００１２】
請求項１または２記載の光ファイバテープコード用ストリッパにおいて、メジャー部はフレームに着脱自在に取り付けられることを特徴とする。
【００１３】
この手段では、メジャー部が、使用しない時にフレームから取り外せるよう構成されている。メジャー部は、使用時にはフレームから突出して取り付けられるため、使用しない場合にも取り付けていると、全体の取扱や携帯に不便であるが、着脱自在にすることでこの問題が解消される。
【００１４】
また、請求項４では、請求項１または２記載の光ファイバテープコード用ストリッパにおいて、メジャー部はフレームから引き出されて使用されることを特徴とする。
【００１５】
この手段では、メジャー部が、使用しない時にフレームに押し込まれるよう構成されている。メジャー部は、使用時にはフレームから突出するよう引き出されるため、使用しない場合にも引き出していると、全体の取扱や携帯に不便であるが、引き出しできるようにすることでこの問題が解消される。
【００１６】
また、請求項５では、請求項３または４記載の光ファイバテープコード用ストリッパにおいて、メジャー部はフレームに位置決めされて取り付けられることを特徴とする。
【００１７】
この手段では、メジャー部が位置決めされてフレームに取り付けられるため、何度繰り返しても同じ位置への取り付けが再現される。
【００１８】
また、請求項６では、請求項３から５のいずれかに記載の光ファイバテープコード用ストリッパにおいて、メジャー部は、使用しない時にフレームに収納されることを特徴とする。
【００１９】
この手段では、メジャー部の紛失が防止されるとともに、携帯性や保管性が向上される。
【００２０】
また、請求項７では、請求項２から６のいずれかに記載の光ファイバテープコード用ストリッパにおいて、メジャー部の支持部には、目盛りが表示されていることを特徴とする。
【００２１】
この手段では、光ファイバテープコードの先端を目盛りに合わせることで、切り込み位置の端末長を変更することが可能となる。
【００２２】
【発明の実施の形態】
以下、本発明の光ファイバテープコード用ストリッパの実施の形態について、図面に基づいて説明する。図１は実施の形態（１）の全体の外観図、図２は実施の形態（１）の分解図、図３は実施の形態（１）の切り込み時の断面図、図４は実施の形態（１）の切り込み時の説明図、図５は実施の形態（５）の応用例の断面図である。
【００２３】
実施の形態（１）の光ファイバテープコード用ストリッパ１は、一端側が連結され他端側が開閉するよう組み付けられた対のフレーム２０間にカッタ機構３０が設けられたストリッパにおいて、カッタ機構３０では、フレーム２０の開閉方向に沿うよう配置された対のカッタ刃３１が、光ファイバの心線１１を並列させて被覆した光ファイバテープコード１０の外被層１４を切り込み可能な間隔で設けられ、カッタ刃３１による外被層１４の切り込み時に、切り込み位置３２の端末長Ｌ３を設定できるメジャー部４０が設けられることを特徴としている。
【００２４】
フレーム２０は、一対のフレーム部材２１、２２から構成されており、カッタ機構３０は、フレーム部材２１にねじ３５で取り付けられた一対のカッタ刃３１と、フレーム部材２２に設けられた保持溝３３とを備えている。カッタ刃３１、３１と、保持溝３３とは互いにフレーム２０の開閉方向に整合して配置され、略同一回動軌跡上で僅かな弧状に構成されている。上記カッタ刃３１、３１は光ファイバテープコード１０の厚み方向の外被層１４を切り込み可能な間隔Ｌ１に離間されている。この間隔Ｌ１は、外被層１４が完全には切断分離せず僅かに残るように設定され、心線１１や抗張力体１３への切り込みが生じないように配慮されている。そしてカッタ刃３１、３１の一端には、切り込み部位への挿入案内が可能となるように間隔を広げたテーパ刃部３４、３４が設けられている。これに対応して、保持溝３３は略Ｕ字型を呈し、溝の奥部３６は、光ファイバテープコード１０を厚み方向から保持するように厚みＬ２に適合する寸法に形成されている。
【００２５】
メジャー部４０は、外被層１４の切り込み時に光ファイバテープコード１０の先端１５を当接させる当接部４１と、この当接部４１をフレーム２０から突出させる支持部４２とが備えられ、全体としてＬ字状を呈している。フレーム部材２２には、支持部４２の先端４４を差し込むための嵌合穴部２３が設けられている。そして、嵌合穴部２３の内部には、上方に向けて凸部２３１が設けられるとともに、この凸部２３１と対向する支持部４２の面には、凸部２３１に適合する形状を有する凹部４２１が所定のピッチで連続して複数設けられている。これにより嵌合穴部２３に差し込まれた支持部４２は、凸部２３１と凹部４２１の嵌め合いにより位置決めされ、また、凸部４２１がどの位置の凹部４２１と嵌め合うかによって支持部４２の突出量を調節することもできる。そのため、嵌合穴部２３と支持部４２には、突出量の調節や着脱ができる程度の隙間が設けられている。メジャー部４０は使用時にはフレーム部材２２の側方に突出しているが、フレーム部材２２に着脱自在であるため、使用が終わると支持部４２が嵌合穴部２３から抜き取られ、携帯や保管しやすくすることができる。なお、図示していないがフレーム２０に、取り外したメジャー部４０を収納する部位を設けてもよい。
【００２６】
また、支持部４２を嵌合穴部２３に差し込んだときのカッタ刃３１から当接部４１までの長さは、切り込み位置３２が所定の端末長Ｌ３となるよう形成されている。この端末長Ｌ３は、光ファイバの心線１１が挿入されるフェルールの仕様等によりあらかじめ決められているため、その仕様にあわせて支持部４２の長さが決められている。これにより、光ファイバテープコード１０を保持溝３３の奥部３６に挟み込み、その先端１５を当接部４１に当接させるだけで、定規で測ったり、目印を付けたりしなくても、所定の端末量Ｌ３の位置に切り込みを行うことができる。なお、支持部４２には、端末長Ｌ３の長さ変更に応じるために、測長のための目盛り４３も表示されている。
【００２７】
さらに詳述するとフレーム２０は、板状のフレーム部材２１が、略Ｕ字型の空間を内部に有する板状のフレーム部材２２に挿入されており、フレーム部材２１の両側面に設けられた突起２４が、フレーム部材２２の両側面に設けられた貫通穴部２５に挿入されて連結されている。そして、貫通穴部２５に挿入された突起２４を軸として、フレーム部材２１、２２は他端側が開閉自在となるよう構成されている。また、開放位置保持のため、フレーム２０の内部にはスプリング２６が内設されている。
【００２８】
このように構成された実施の形態（１）の光ファイバテープコード用ストリッパ１の動作について説明する。まず、光ファイバテープコード１０の切り込みに先立って、メジャー部４０の支持部４２が、フレーム部材２２の嵌合穴部２３に差し込まれ位置決めされる。そして、フレーム部材２１、２２の開放位置において、光ファイバテープコード１０が保持溝３３の奥部３６に差し込まれ、その先端１５を図４に示すようにメジャー部４０の当接部４１に当接させられる。次に、スプリング２６に抗してフレーム部材２１、２２を閉じる方向へ押し込み操作すると、保持溝３３と同一回動軌跡のカッタ刃３１、３１がテーパ刃部３４、３４から光ファイバテープコード１０の外被層１４へ当接する。そして、テーパ刃部３４、３４で案内されて厚み方向両側の外被層１４への切り込みが開始される。このとき、カッタ刃部３１の切り込み位置３２と、当接部４１までの距離は、あらかじめＬ３に設定されているため、光ファイバテープコード１０の外被層１４は、端末長Ｌ３で確実に切り込みが行われる。そして、フレーム部材２１、２２を完全に押し込むことにより、保持溝３３の奥部３６に姿勢保持されていた光ファイバテープコード１０の外被層１４の切り込みが完了する。
【００２９】
そして、切り込み後には、フレーム部材２１、２２を押し込んだ状態、ずなわち、外被層１４にカッタ刃３１、３１が切り込んだ状態で、この光ファイバテープコード用ストリッパ１が光ファイバテープコード１０の先端１５側に引き抜かれる。これにより完全には切断分離しない程度に切り込まれていた外被層１４が完全に分離されて切り取られ、図８に示すような抗張力体１３と心線被覆層１２に覆われた心線１１が露出する。この後は、従来の工程と同様に、抗張力体１３と心線被覆層１２とが順次取り除かれ最終的に心線１１が露出される。
【００３０】
このように、実施の形態（１）の光ファイバテープコード用ストリッパ１では、ストリッパ自体にメジャー部４０が設けられ、このメジャー部４０に光ファイバテープコード１０の先端１５を当接させるだけで、所定の端末長Ｌ３の位置に外被層１４の切り込みを行うことができる。そのため、従来のように定規で測ったり、目印をつけたりする作業の負担がなくなるだけでなく、作業者が手指を傷つける心配もなく、端末長Ｌ３を正確に除去することができる。
【００３１】
なお、実施の形態（１）では、メジャー部４０を嵌合穴部２３に挿入する際の位置決めの手段として、凸部２３１と凹部４２１との嵌め合いを図示したが、この他の位置決め手段を適用してもよい。例えば図５に示すように、嵌合穴部２３に設けられた凸部２３１に替えて、嵌合穴部２３に、ボール２３２をスプリング２３３で上下動自在に保持するボールプランジャ２３４を埋設し、このボール２３２と凹部４２１とが嵌め合うよう構成してもよい。この構成では、メジャー部４０の着脱や位置調整時にボール２３２が上下するため、メジャー部４０の移動が速やかに行われる。また、支持部４２と嵌合穴部２３との隙間も小さくすることができる。
【００３２】
次に、本発明の実施の形態（２）の光ファイバテープコード用ストリッパについて説明する。図６は実施の形態（２）の全体の外観図、図７は実施の形態（１）の応用例の断面図である。この実施の形態（２）は、実施の形態（１）のメジャー部４０の構造を変形した形態であるため、同様の説明には同一符号を付し詳細を省略する。
【００３３】
実施の形態（２）のメジャー部４０はフレーム２０から引き出されて使用されることを特徴としている。フレーム部材２２の他端側でカッタ機構３０を避けた位置に設けられた切り欠きに、内部空間を有するように収納部２７が形成されている。メジャー部４０の支持部４２に形成された長溝４６と、この長溝４６に挿入された軸部４５とによって、メジャー部４０が摺動自在となるよう構成されている。メジャー部４０が使用されるときには、軸部４５を中心に長溝４６がスライドしてメジャー部４０全体が引き出され、長溝４６の端部が軸部４５に当接する位置でメジャー部４０を回転させることで、フレーム部材２２からメジャー部４０が突出するよう方向を変更させることができる。フレーム部材２２から突出したメジャー部４０がその位置で仮固定できるよう長溝４６と軸部４５との間には雌雄嵌合等の手段が設けられている。これにより実施の形態（１）と同様に、メジャー部４０を光ファイバテープコード１０の切り込み時に先端１５が当接するように使用することができる。また、メジャー部４０を使用しない場合には、上述と逆の手順でメジャー部４０が収納部２７に収納される。
【００３４】
図６では、収納部２７にメジャー部４０全体が収納されるのではなく、当接部４１がフレーム部材２２の外側に沿うように構成しているが、収納部２７の位置、形状等は図示したものに限定されず任意に変更できる。例えば図７は、フレーム部材２２の縦断面図を示しているが、この図のようにメジャー部４０の当接部４１が、収納時にフレーム部材２２の側面の一部に設けられた段差部２８に嵌め込まれ、外見上、一体化するよう構成してもよい。
【００３５】
このように実施の形態（２）では、メジャー部４０をフレーム２０に収納可能にするとともに、メジャー部４０がフレーム２０に連結されているために、メジャー部４０を使用しない場合に紛失することが防止できるだけでなく、使用時には速やかに取り出すことができ、作業者の利便性を大きく向上させることができる。その他の作用、効果は実施の形態（１）と同様である。
【００３６】
なお、実施の形態（２）では、メジャー部４０をスライドと回転を組み合わせて引き出す構造を説明したが、メジャー部４０の引き出し方はこれに限定するものではなく、例えば、伸縮可能な多段構造として、フレームから段階的に引き出して所定の長さになるよう構成しても良い。
【００３７】
【発明の効果】
以上、詳述してきたように、本発明の光ファイバテープコード用ストリッパは、光ファイバテープコードの外被層を切り込んでこれを除去することができるだけでなく、外被層の切り込みの端末長を切り込み時に、定規をあてて測ることなく設定することができる。これにより、外被層の除去の工程を簡単にまた正確に行うことができるため、結果的にこの工程に起因する光ファイバの心線の露出を正確な長さで実施することができる。
【００３８】
また、外被層の切り込みの端末長を設定させるためのメジャー部は、使用時にはフレームから突出しているが、使用しない時には、取り外したり収納したりできるため、光ファイバテープコード用ストリッパの携帯や保管にも支障を来たす心配がなく、利便性も備えている。
【図面の簡単な説明】
【図１】実施の形態（１）の全体の外観図である。
【図２】実施の形態（１）の分解図である。
【図３】実施の形態（１）の切り込み時の断面図である。
【図４】実施の形態（１）の切り込み時の説明図である。
【図５】実施の形態（１）の応用例の断面図である。
【図６】実施の形態（２）の全体の外観図である。
【図７】実施の形態（２）の応用例の断面図である。
【図８】光ファイバテープコードの説明図である。
【符号の説明】
１  光ファイバテープコード用ストリッパ
１０  光ファイバテープコード
１１  心線
１２  心線被覆層
１３  抗張力体
１４  外被層
１５  先端
２０  フレーム
２１、２２  フレーム部材
２３  嵌合穴部
２３１  凸部
２３２  ボール
２３３  スプリング
２３４  ボールプランジャ
２４  突起
２５  貫通穴部
２６  スプリング
２７  収納部
２８  段差部
３０  カッタ機構
３１  カッタ刃
３２  切り込み位置
３３  保持溝
３４  テーパ刃部
３５  ねじ
３６  奥部
４０  メジャー部
４１  当接部
４２  支持部
４３  目盛り
４４  先端
４５  軸部
４６  長溝
【図１】
2004191676.tif 000003
【図２】
2004191676.tif 000004
【図３】
2004191676.tif 000005
【図４】
2004191676.tif 000006
【図５】
2004191676.tif 000007
【図６】
2004191676.tif 000008
【図７】
2004191676.tif 000009
【図８】
2004191676.tif 000010